(57)【特許請求の範囲】
【請求項１】
第１のケース部材及び第２のケース部材を含む複数のケース部材を用いて構成されるとともに、内部に制御基板を収納するための収納空間を形成する基板収納ケースと、
前記第１のケース部材及び前記第２のケース部材の境界部から選択される特定部位を跨ぐ状態で前記基板収納ケースの外面部に貼付される封印シールと、
前記基板収納ケースの外面部に貼付された前記封印シールを保護するために、前記基板収納ケースに装着される封印シールカバーと、
を具備する遊技機であって、
前記特定部位には前記基板収納ケースの外面部に挿入口を開口させた挿入用間隙部が設けられ、
前記封印シールカバーは、
前記基板収納ケースにおける前記封印シールの貼付部位に対して裏面部を対向させつつ、前記基板収納ケースとで前記封印シールを挟む状態に配置されるカバー本体部と、
前記カバー本体部の裏面部側から突出し、前記挿入口を通じて前記挿入用間隙部に挿入されるとともに、前記カバー本体部側に刃部を向けたカッター部が設けられた挿入部と、
を備え、
前記封印シールカバーにおいて、前記カバー本体部の裏面部と前記カッター部との間に位置する部位に、前記封印シールが挿通される挿通用間隙部が設けられることを特徴とする遊技機。
【請求項２】
前記挿入部には係合部が設けられ、前記第１のケース部材及び前記第２のケース部材の少なくとも一方には被係合部が設けられ、
前記挿入部を前記挿入用間隙部に挿入すると、前記係合部が前記被係合部に係合することを特徴とする請求項１に記載の遊技機。
【請求項３】
前記カバー本体部の裏面部の端部から阻止部を突出させるとともに、
前記挿通用間隙部に向かって前記カバー本体部の他端側から挿通した前記封印シールを前記阻止部に当接させることで、前記封印シールの前記カバー本体部に対する位置決めを行うことを特徴とする請求項１又は２に記載の遊技機。
【請求項４】
前記カバー本体部の裏面部における縁部側の部位から突出する突出部と、
該突出部から前記カバー本体部の裏面部に沿って前記縁部から遠ざかる方向に向かって突出するとともに、前記カバー本体部の裏面部に対して、前記封印シールが進入可能な進入用隙間部を維持した状態で対向する保持面を具備した保持部と、
を備え、
前記進入用隙間部に進入させた前記封印シールの端部側を前記保持面に貼付した状態で、前記挿入部が前記挿入用間隙部に挿入されることを特徴とする請求項１〜３の何れか一項に記載の遊技機。
【請求項５】
前記阻止部によって前記突出部が構成されることを特徴とする請求項４に記載の遊技機。
【発明の詳細な説明】
【技術分野】
【０００１】
本発明は、遊技機に関し、いわゆるセブン機、羽根物、権利物又はアレンジボール等の弾球遊技機や、スロットマシン（若しくはパチスロ）と称される回胴式遊技機に対して適用することができる。
【背景技術】
【０００２】
弾球遊技機や回胴式遊技機は、遊技を制御するための「制御基板」を備えている。そして、この種の制御基板の中には、種々の目的で、所定の「基板収納ケース」に収納して用いられるものがある。例えば、「第１のケース部材及び第２のケース部材を具備する基板収納ケース」に制御基板を収納して用いることがある。
【０００３】
弾球遊技機や回胴式遊技機においては、例えば、制御基板に実装された電子部品（ＲＯＭ等）を不正な電子部品（ＲＯＭ等）に交換したり、制御基板そのものを不正な制御基板に交換するという不正行為等を防止することが要求される。また、仮に、この種の不正行為が行われた場合においても、当該「不正行為の実行」を早期に発見可能であることが要求される。このため、第１のケース部材（例えば、ケース本体部）と第２のケース部材（例えば、蓋部）との境界部（両ケース部材の合わせ部）を跨ぐ状態で、基板収納ケースの外面部に封印シールを貼付する。そして、基板収納ケースを開封した場合、この封印シールが破断され、開封した痕跡が残るようにすることが行われている。
【０００４】
ところが、封印シールは粘着剤を用いて基板収納ケースの外面部に貼付されているに過ぎないため、不正行為を行う者（以下、「不正行為者」という）が、この封印シールの痕跡を残さずに剥がし、基板収納ケースを開封して不正行為を遂行する事態が発生している。このような事態に対処するために、「貼付後の封印シールを封印シールカバーで覆うとともに、この基板収納ケースを開封しようとしたときに、封印シールが破断される構成を備える遊技機」が提案されている（特許文献１を参照、以下「従来例」という）。
【０００５】
つまり、図３４に示すように、「第１のケース部材５００と第２のケース部材５１０とからなる基板収納ケース」を備える遊技機において、「内部にカッター部５２１を設けたシール台蓋部材５２０」を第１のケース部材５００の端部に固定し、「内部にシール配置部５５１を備えたシール台部材５５０」を第２のケース部材５１０の端部に固定する。また、図３４では図示を省略するが、シール配置部５５１は、カッター部５２１を図中の横方向に通過させる溝を上面及び左右の側面で開口する状態に備え、封印シール５６０は、この溝を隠すようにしつつシール配置部５５１に貼付されている。そして、第１のケース部材５００を第２のケース部材５１０に対してスライドさせ、基板収納ケースを開封しようとすると、第１のケース部材５００と一体でスライドするカッター部５２１が、シール配置部５５１に貼付された封印シール５６０を破断させる。
【先行技術文献】
【特許文献】
【０００６】
【特許文献１】特開２０１０−１４８５９６号公報
【発明の概要】
【発明が解決しようとする課題】
【０００７】
しかし、この従来例の遊技機では、封印シール５６０を破断させることなく基板収納ケースの開封を行うことが比較的容易である。例えば、シール台蓋部材５２０を図中Ａ−Ａ線で示した部分で破壊し、シール台蓋部材５２０を２つに分割する。そして、分割した各シール台蓋部材をケース部材５１０から取り外し、基板収納ケースを開封する。すると、開封時にケース部材５１０とシール台蓋部材５２０が同時にスライド移動しないため、シール台蓋部材５２０のカッター部５２１が封印シール５６０を破断しない。そして、不正行為者が、破壊したシール台蓋部材５２０に代えて「無傷のシール台蓋部材」を用いて基板収納ケースを再度封印すると、不正行為の痕跡が残り難くなり、不正行為の発見が困難となる。
【０００８】
また、この従来例では、「シール配置部５５１に封印シール５６０を貼付する作業」と、「シール台蓋部材５２０を第１のケース部材５００に固定する作業」と、「シール台部材５５０を第２のケース部材５１０の端部に固定する作業」とを行うことで、漸く、封印シール５６０が基板収納ケースに装着された状態となる。つまり、この従来例では、封印シール５６０を基板収納ケースに装着するために、各々独立した複数の作業を行うことが必要なため、「基板収納ケースを封印シール５６０によって封印する作業」の作業効率が悪くなっている。
【０００９】
本発明は、このような問題を解決するためになされたものであり、その目的とするところは、不正行為の発見が容易であるとともに、基板収納ケースを封印する作業効率を向上させることができる遊技機を提供することである。
【課題を解決するための手段】
【００１０】
請求項１に記載の遊技機は、
第１のケース部材及び第２のケース部材を含む複数のケース部材を用いて構成されるとともに、内部に制御基板を収納するための収納空間を形成する基板収納ケースと、
前記第１のケース部材及び前記第２のケース部材の境界部から選択される特定部位を跨ぐ状態で前記基板収納ケースの外面部に貼付される封印シールと、
前記基板収納ケースの外面部に貼付された前記封印シールを保護するために、前記基板収納ケースに装着される封印シールカバーと、
を具備する遊技機であって、
前記特定部位には前記基板収納ケースの外面部に挿入口を開口させた挿入用間隙部が設けられ、
前記封印シールカバーは、
前記基板収納ケースにおける前記封印シールの貼付部位に対して裏面部を対向させつつ、前記基板収納ケースとで前記封印シールを挟む状態に配置されるカバー本体部と、
前記カバー本体部の裏面部側から突出し、前記挿入口を通じて前記挿入用間隙部に挿入されるとともに、前記カバー本体部側に刃部を向けたカッター部が設けられた挿入部と、
を備え、
前記封印シールカバーにおいて、前記カバー本体部の裏面部と前記カッター部との間に位置する部位に、前記封印シールが挿通される挿通用間隙部が設けられることを特徴とする。
【００１１】
請求項１の発明では、カバー本体部とカッター部との間に封印シールを挿通した状態で、封印シールが基板収納ケースに貼付される。このため、封印シールカバーを基板収納ケースから取り外せば、封印シールが破断される。つまり、請求項１の発明の遊技機では、封印シールが刃部により破断されない限り、基板収納ケースの開封を行うことができない構造を備える。すなわち、挿入部を挿入用間隙部から抜き取る際に挿入部が通過する経路上に封印シールが配置されるため、「カッター部を一体的に備える封印シールカバー」を基板収納ケースから取り外すと、刃部が封印シールを破断する。このため、封印シールに痕跡が残ることになる。
【００１２】
また、カバー本体部が基板収納ケースに近接（封印シールを挟んで当接）する状態に配置される。このため、例えば、不正行為者が、工具（例えば、ディスクグラインダー等）を用いてカバー本体部と挿入部（カッター部）を分離し、挿入部（カッター部）を挿入用間隙部内に残した状態でカバー本体部を取り外して封印シールを剥がそうとした場合でも、この工具によって基板収納ケースや封印シールが破断される可能性が高い。
【００１３】
このように、請求項１の発明の遊技機によると、基板収納ケースを開封する不正行為が行われたときに痕跡を残し易くしているため、不正行為の発見が容易である。また、請求項１の発明の遊技機によると、封印シールカバーを基板収納ケースに装着する作業によって、封印シールを基板収納ケースに貼付することができるため、「基板収納ケースを封印する作業効率」を向上させることができる。
【００１４】
各請求項の発明においては、基板収納ケースを構成するケース部材の数は２個以上であれば特に問わない。また、基板収納ケースを構成するケース部材の構成は種々選択することができる。例えば、基板収納ケースを構成するケース部材が第１のケース部材及び第２のケース部材のみである場合、両ケース部材を略容器形状とし、両者の開口部側同士を連結して制御基板を収納する収納体を構成してもよい。また、両ケース部材のうちの一方を略容器形状とし、他方をその開口部を閉鎖する蓋形状とし、両者の組み合わせで制御基板を収納する収納体を構成してもよい。
【００１５】
各請求項の発明の「基板収納ケース」は、ケース部材毎に分離（分割）可能とされてもよいし、分離（分割）不可能とされてもよい。なお、分離（分割）不可能な態様として、例えば、各ケース部材をヒンジ等で連結する態様を例示できる。尚、各請求項の発明においては、基板収納ケースを構成するケース部材を透明な素材（例えば、透明な合成樹脂）によって構成することが望ましい。基板収納ケースの主要部が透明であると、基板収納ケース内の制御基板に不正な改造が施された場合に、基板収納ケースの外部から、「不正な改良」を発見することもできるからである。
【００１６】
各請求項の発明の「封印シール」には識別用部材（例えば、ＩＣタグ）を装着（例えば、貼着面に装着）したり、埋設することもできる。この識別用部材としては、例えば、対象となる基板収納ケースに収納される制御基板を識別するための識別情報の書き込み及び読み出しが可能な記憶手段を有するＩＣチップと、アンテナとを備える識別用部材本体を外郭体で保護したものを例示できる。この識別用部材においては、所定の書き込み手段の無線を用いた要求に応じて識別情報を記憶手段に書き込む処理を実行し、所定の読み取り手段の無線を用いた要求に応じて識別情報を読み取り手段に送信する処理を実行する。なお、この種の識別用部材（例えば、ＩＣタグ）を、挿入用間隙部から抜き出されるカッター部の通過経路上に配置すると、識別用部材、ひいては、封印シールが破壊されたことを「読み取り手段が識別情報を受信不能となったこと」によって発見することができる。これにより、不正行為を発見することができる。
【００１７】
各請求項の発明の「カバー本体部」を、例えば、板状に構成したり、枠状に構成することができる。但し、板状に構成する場合には、全体若しくは周縁部を除く部位を透明に構成し、封印シールカバーを基板収納ケースに装着した状態で、カバー本体部を透かして封印シールが視認可能とされてもよい。また、枠状に構成する場合には、枠の内側の空間部を用いて封印シールが視認可能とされてもよい。
【００１８】
各請求項の発明において、例えば、「カバー本体部」と基板収納ケースとで封止シールを挟み込む状態（挟持する状態）とされてもよい。この場合、カバー本体部の裏面部全体が封止シールに当接してもよいが、裏面部の周縁部、若しくは、周縁部の一部が封止シールに当接してもよい。また、挿入部の挿入用間隙部への挿入態様としては、嵌入や圧入等を例示できる。更に、挿入部を挿入用間隙部に対して、挿入部の抜脱を防止する方向に係合してもよい（請求項２の発明を参照）。
【００１９】
請求項２に記載の遊技機は、請求項１に記載の遊技機において、前記挿入部には係合部が設けられ、前記第１のケース部材及び前記第２のケース部材の少なくとも一方には被係合部が設けられ、前記挿入部を前記挿入用間隙部に挿入すると、前記係合部が前記被係合部に係合することを特徴とする。
【００２０】
請求項２の発明では、挿入部を挿入用間隙部に挿入すると、係合部が第１のケース部材及び第２のケース部材のうちの少なくとも一方に設けられた被係合部に係合する。この場合、封印シールカバーを基板収納ケースから取り外そうとすると、封印シールカバーを「係合部の被係合部に対する係合を解除できる大きさの力」で引っ張ることが必要となる。そのような力で引っ張ると、その力と刃部の作用とが相俟って、封印シールに大きな痕跡を残せる可能性が高まる。従って、請求項２の発明によると、不正行為の発見が更に容易な遊技機を得ることできる。
【００２１】
請求項３の発明の遊技機は、請求項１又は２に記載の遊技機において、
前記カバー本体部の裏面部の端部から阻止部を突出させるとともに、
前記挿通用間隙部に向かって前記カバー本体部の他端側から挿通した前記封印シールを前記阻止部に当接させることで、前記封印シールの前記カバー本体部に対する位置決めを行うことを特徴とする。
【００２２】
請求項３の発明によると、封印シールの端部を阻止部に当接させることで、封印シールのカバー本体部に対する位置決めを行うことができるため、封印シールを基板収納ケースに貼付する作業（基板収納ケースを封印する作業）を更に効率的に行うことができる。
【００２３】
請求項４の発明の遊技機は、請求項１〜３の何れか一項に記載の遊技機において、
前記カバー本体部の裏面部における縁部側の部位から突出する突出部と、
該突出部から前記カバー本体部の裏面部に沿って前記縁部から遠ざかる方向に向かって突出するとともに、前記カバー本体部の裏面部に対して、前記封印シールが進入可能な進入用隙間部を維持した状態で対向する保持面を具備した保持部と、
を備え、
前記進入用隙間部に進入させた前記封印シールの端部を前記保持面に貼付した状態で、前記挿入部が前記挿入用間隙部に挿入されることを特徴とする。
【００２４】
請求項４の発明によると、封印シールの端部を保持面に貼付した状態で封印シールカバーを基板収納ケースに装着することができるため、「基板収納ケースを封印する作業」をより効率的に行うことができる。なお、突出部の突出箇所は種々選択できる。例えば、カバー本体部が略矩形枠状若しくは略矩形板状に構成される場合、何れか１個、若しくは、複数個の端縁寄りの部位から突出部を突出させ、この突出部から保持部を突出する態様を例示できる。
【００２５】
請求項５の発明の遊技機は、請求項４に記載の遊技機において、
前記阻止部によって前記突出部が構成されることを特徴とする。
【００２６】
請求項５の発明によると、封印シールの端部を阻止部（突出部）に当接させ、封印シールのカバー本体部に対する位置決めを行うとともに、カバー本体部の裏面部に設けられた保持部によって、封印シールを保持し、封印シールをカバー本体部に対して固定した状態で、挿入部を挿入用間隙部に挿入し、封印シールの貼付を行う。従って、「基板収納ケースを封印する作業」を、より一層効率的に行うことができる。
【００２７】
ここで、本明細書において、「前」及び「表」は、「遊技機を基準とする前方（つまり、遊技者に近接する方向）」を示し、「後」及び「裏」は、遊技機を基準とする後方（つまり、遊技者から離間する方向）」を示す。また、「左」とは、遊技者から見て「左」であることを示し、「右」とは「遊技者から見て右」であることを示す。更に、本体枠、前面枠、上皿部材、下皿部材等のように、「扉の如く、開閉可能な部材（以下、「扉型部材」という）」において、「左」、「右」、「前」、「後」等は、これらの扉型部材が使用状態にある場合、つまり、閉鎖された状態にある場合を基準としたものである
【発明の効果】
【００２８】
上記したように各請求項の発明によると、不正行為の発見が容易であるとともに、基板収納ケースを封印する作業効率を向上させる遊技機を得ることができる。
【図面の簡単な説明】
【００２９】
【図１】本発明の各実施例に係る遊技機を示す正面図である。
【図２】本発明の各実施例に係る遊技機において、外枠、本体枠、前面枠、皿部材（上皿部材、下皿部材）を示す斜視図である。
【図３】本発明の各実施例に係る遊技機において本体枠等を説明するための概略的な説明図である。
【図４】実施例１に係る遊技機の遊技盤等を示す正面図である。
【図５】（ａ）は本発明の各実施例において特別図柄表示部を示す概略的な正面図であり、（ｂ）は本発明の各実施例において演出表示装置の表示画面に表示する表示内容を示す概略的な正面図である。
【図６】（ａ）は左下表示装置の概略的な正面図であり、（ｂ）は右下表示装置の概略的な正面図である。
【図７】本発明の各実施例に係る遊技機を示す裏面図である。
【図８】本発明の各実施例に係る電子制御装置を示すブロック図である。
【図９】本発明の各実施例に係る電子制御装置を示すブロック図である。
【図１０】主制御基板ケース（ケース本体及びケース蓋）と、封印シールカバーを示す斜視図である。
【図１１】主制御基板ケース（ケース本体及びケース蓋）の縦断面図（図１０の１−１断面図に相当する縦断面図）である。
【図１２】主制御基板ケース（ケース本体及びケース蓋）、封止シール、封印シールカバー等を示す縦断面図（図２３の８−８断面図に相当する縦断面図）である。
【図１３】ケース側封止部と、蓋側封止部における封止構造を説明するための縦断面図である。
【図１４】ケース本体を示す斜視図である。
【図１５】（ａ）は図１４の一部拡大斜視図であり、（ｂ）は図１５（ａ）の３−３断面図である。
【図１６】ケース蓋を示す斜視図である。
【図１７】ケース本体及びケース蓋の係合状態を説明する縦断面図である。
【図１８】（ａ）はケース本体及びケース蓋のスライド係合を説明する縦断面図であり、（ｂ）は封印シールの縦断面図である。
【図１９】ケース本体及びケース蓋のスライド係合を説明する縦断面図（図１０の２−２断面図に相当する縦断面図）である。
【図２０】封印シールカバーを示す斜視図である。
【図２１】図２０の４−４断面図である。
【図２２】図２０の５−５断面図である。
【図２３】封止用凹部、隆起部、挿入用間隙部、貼付部位等を説明するための平面図である。
【図２４】主制御基板ケース（ケース本体及びケース蓋）に対して、封止シール及び封印シールカバーを装着する行程を示す説明図である。
【図２５】主制御基板ケース（ケース本体及びケース蓋）に対して、封止シール及び封印シールカバーを装着する行程を示す説明図（図２３の８−８断面図に相当する縦断面図）である。
【図２６】主制御基板ケース（ケース本体及びケース蓋）に対して、封止シール及び封印シールカバーを装着する行程を示す説明図（図２０の６−６断面図に相当する断面図）である。
【図２７】（ａ）は主制御基板ケースから封印シールカバーを取り外した様子を示す説明図であり、（ｂ）は各実施例の作用を説明するための説明図である。
【図２８】実施例２の封印シールカバーを示す斜視図である。
【図２９】実施例２において、主制御基板ケース（ケース本体及びケース蓋）、封止シール、封印シールカバー等を示す縦断面図である。
【図３０】実施例２において、阻止部、保持部等を示す縦断面図（図２８の７−７断面図に相当する縦断面図）である。
【図３１】（ａ）及び（ｂ）は実施例３を説明するための説明図であり、（ｃ）は変形例１を説明するための説明図である。
【図３２】実施例４において、主制御基板ケース（ケース本体及びケース蓋）、封止シール、封印シールカバー等を示す縦断面図である。
【図３３】変形例２を説明するための説明図である。
【図３４】従来例を説明するための説明図である。
【発明を実施するための形態】
【００３０】
以下、発明を実施するための最良の形態を示す実施例について図面に基づいて説明する。以下に示す各実施例では、各請求項に係る発明を、「セブン機」と称する遊技機（パチンコ機）１に適用した各具体例について説明する。
【実施例１】
【００３１】
（１）機械的な構造
ａ．遊技機の全体構造
先ず、この遊技機１の全体構造について、図１〜図３等を参照して説明する。この遊技機１は、図１及び図２に示すように、外枠２と、この外枠２に装着された遊技機本体Ｈ（機体）と、を備えている。また、外枠２は、図２に示すように、パチンコホールの島設備に設けられた設置部位に固定されると共に遊技機本体Ｈを支持するためのものである。この外枠２は、略矩形状の枠状体によって構成される外枠本体２１と、外枠本体２１の前面下部を覆う前板部２２とを備えている。
【００３２】
遊技機本体Ｈは、外枠２の左端側上下のヒンジＨ１、Ｈ２（図１及び図２を参照）を用いて、外枠２の左端側に回動自在に組み付けてられている。この遊技機本体Ｈは、遊技機１のうちで外枠２を除く部分であって、図２に示すように、本体枠３と、前面枠４と、前面枠４に一体化された皿部材（上皿部材５及び下皿部材６）５Ａと、遊技盤１０（図４を参照）と、裏機構盤１０２（図７を参照）等を主要部としている。
【００３３】
また、本体枠３は、図３に示すように、外枠２に嵌めこまれ、外枠２に対して開閉可能に軸支されている。尚、図１に示すように、本体枠３の右端側には、施錠装置７が装着されている。また、図２においては、外枠２、本体枠３と、前面枠４と、皿部材５Ａ（上皿部材５、下皿部材６）を図示し、遊技盤１０と、裏機構盤１０２の図示を省略している。
【００３４】
本体枠３は、全体がプラスチック製であり、図３に示すように、枠状体によって構成されている。この本体枠３は、上半部に窓部３Ｍを備える枠本体部３ｂと、枠本体部３ｂの裏面部から略矩形枠状に突出する突出部３ｃとを備える。そして、本体枠３は、この突出部３ｃを用いて遊技盤１０を保持するための保持部を構成している。つまり、突出部３ｃの突端面であって、窓部３Ｍの左方側の上下と、窓部３Ｍの右方側の上下には保持具３ｆが回動可能な状態で装着され、保持具３ｆの突端部を遊技盤１０の後面部に当接させることで遊技盤１０が本体枠３により保持されている。
【００３５】
本体枠３が遊技盤１０を保持したとき、「遊技盤１０の前面部１０ａに構成される遊技領域１１」を、窓部３Ｍによって本体枠３の前方から視認することができる。また、遊技盤１０の背面部には、裏機構盤１０２（図７参照）が装着され、この背面部を覆う状態とされている。なお、遊技球を上皿部材５に払い出すための遊技球払出装置１０９が、裏機構盤１０２に配設されている（図７を参照）。
【００３６】
前面枠４は、図２に示すように、本体枠３の前面側に配置され、本体枠３の左端に開閉可能に支持されている。この前面枠４はその中央部に視認窓４１ａを備えている。この視認窓４１ａは前面枠４の前後に貫通する状態に設けられ、遊技盤１０の盤面に形成された遊技領域１１（正面視で略円形の遊技領域１１）を前方から視認可能な形状に開設（略吊り鐘形状に開設）され、前面枠４を閉じたときにその背後に位置する遊技領域１１が、この視認窓４１ａによって前方から視認可能とされる。
【００３７】
前面枠４は、図１に示すように、枠本体４１と、この枠本体４１に装着されるガラス板４３（図３を参照）と、ガラス板４３を枠本体４１に保持させるための保持具（図示を省略）と、を備えている。また、本遊技機１では、図２に示すように、「上皿部材５及び下皿部材６を一体化した皿部材５Ａ」が、前面枠４に一体化され、本体枠３に対して前面枠４と一体で開閉可能とされている。但し、本実施例と異なり、皿部材５Ａを、本体枠３における前面枠４の装着部位よりも下方に装着し、前面枠４とは別に開閉可能としてもよい。また、上皿部材５及び下皿部材６を別体に設け、本体枠３における前面枠４の装着部位よりも下方に配置し、上方に配置される上皿部材５を前面枠４とは別に開閉可能とし、下方に配置される下皿部材６を開閉不可能としてもよい。
【００３８】
図１及び図２に示すように、前面枠４の前面部の上方側の左右には、スピーカＳＰ１、ＳＰ２（図９参照）が装着され、前板部２２の左右両端にも、スピーカＳＰ３、ＳＰ４（図９参照）が内蔵されている。そして、本遊技機１においては、これらのスピーカＳＰ１〜ＳＰ４を用いて、遊技状態に応じた効果音や、その他の音（音声）を発生させる。
【００３９】
図２に示すように、前面枠４の前面部において、上皿部材５の配置部位を構成する箇所には、遊技機１から排出される遊技球を受け入れるための受入口５ｂを備えている。更に、上皿部材５の裏側には、球貸表示基板４１０（図８参照）及び演出ボタン基板２２８（図９参照）が設けられ、上皿部材５の上面部には「演出ボタンＳＷ」が配置されている（図２を参照）。
【００４０】
図２に示すように、皿部材５Ａにおいて上皿部材５の下方の部位が、下皿部材６を構成している。この下皿部材６の略中央には、その略容器形状とされる内部に上皿部材５から排出される遊技球を受け入れるための受入口６ａを備えている。また、下皿部材６の右端側には発射ハンドル９が設けられている。そして、本体枠３の前面部裏側（本体枠３の内部）であって、遊技盤１０よりも下方の左端側に位置する部位には、発射装置ユニット９０（図４を参照）が配設されており、この発射装置ユニット９０に、下皿部材６の右端に位置する発射ハンドル９が接続されている。
【００４１】
ここで、発射装置ユニット９０は、球送り装置（図示を省略）から送り出される遊技球を略鉛直上方に発射する。この発射された遊技球は、発射装置ユニット９０と一体化された球通路部材９６と、誘導経路Ｙとを介して遊技領域１１に到達する。また、発射ハンドル９には、遊技者が触れていることを検出するタッチスイッチ（タッチセンサ）９ａが装着されており、その近傍には、遊技球の発射を一時的に停止するための発射停止スイッチ９ｂが装着されている。
【００４２】
ｂ．遊技盤１０の構成
次に、遊技盤１０の構成について図４を用いて説明する。この遊技盤１０は正面視で略矩形状の合板を用いて構成される遊技盤本体１０Ａと、この遊技盤本体１０Ａに装着される各種の盤部品（外側レール１２、内側レール１３、メイン役物装置２０等）が装着されている。尚、この遊技盤本体１０Ａの前面部には、セル画が印刷されたシート状物が貼着されているが図示を省略する。
【００４３】
遊技盤本体１０Ａは、正面視で略円形とされる領域形成部１０Ｂと、領域形成部１０Ｂの周囲に位置する領域外部１０Ｃとを備える。また、遊技盤本体１０Ａの前面部には、ともに帯状の金属板を用いて構成される外側レール１２と、内側レール１３とが配設されている。そして、領域形成部１０Ｂの前面部（遊技盤面）は、この外側レール１２及び内側レール１３が形成する略円形の周壁によって略包囲されつつ、遊技領域１１を構成している。
【００４４】
内側レール１３は略Ｕ字形状に配置されつつ、左端部を遊技盤本体１０Ａは左上部に配置されるとともに、その左側方に位置する「外側レール１２の左上部」との間に「遊技球が通過可能な隙間」を設け、球進入口１１Ｓを形成している。
【００４５】
外側レール１２の左端部は、「球通路部材９６の出口部９６ｊ」の斜め左上に近接配置されている。そして、外側レール１２において、内側レール１３の外側に配置される部分は、外側レール１２の左端部から左斜め上方に上がる経路を描き、内側レール１３の右端部の側方に到達したところで、その経路を内側レール１３と略平行な円弧状の経路に改めつつ上昇し、球進入口１１Ｓの側方を越えて、遊技盤本体１０Ａの右上部まで到達している。
【００４６】
内側レール１３の外側面部には、補助レール１３Ｂの上端部が一体化されている。そして、「補助レール１３Ｂと、これに略平行な外側レール１２の部分の間に形成される通路」と、その上方の「外側レール１２と内側レール１３とに挟まれつつ球進入口１１Ｓに至る通路」とが連続して誘導経路Ｙを構成している。この誘導経路Ｙは下端部が「球通路部材９６の出口部９６ｊ」と連通するとともに、下端部から左上がり傾斜状に「内側レール１３の外側（左側方）」を上昇した後、内側レール１３の外側を時計回転方向に通過して、球進入口１１Ｓに到達している。
【００４７】
領域形成部１０Ｂ（つまり、遊技盤１０において遊技領域１１内に位置する部位）には、メイン役物装置２０と、普通図柄作動ゲート（普通図柄作動口）１６と、始動入賞装置１７と、下部装置３０と、左下表示装置５０と、右下表示装置６０と、４個の一般入賞装置４０、４１、４３、４４と、多数の障害釘（図示を省略）と、風車１９等が配設されている。
【００４８】
メイン役物装置２０は、取付部材（化粧板）２１と、演出表示装置２７とを備えている。このうち、取付部材２１は、領域形成部１０Ｂの前面部に装着される板状体によって構成され、遊技領域１１の上半部のうちで、左端側を除く部位を構成している。この取付部材（化粧板）２１には窓部形成孔２１ｄが設けられ、この窓部形成孔２１ｄによって正面視で略矩形状の表示窓２１ｅを構成している。
【００４９】
取付部材２１の頂部から右側縁部の下端に至る部位は、外側レール１２に近接し、頂部から左側縁部の上端に至る部位には、上部装飾部材２１ｎが前方に突出する状態に装着されている。また、取付部材２１の左側縁部には、左側装飾部材２１ｑが前方に突出する状態に装着され、取付部材２１の下縁部には、ステージ部材２１ｐが前方に突出する状態に装着されている。更に、左側装飾部材２１ｑは、内部に遊技球通路（図示を省略）が形成された造形物２１ｒを備えている。この遊技球通路の進入口は左斜め上方に向かって開口し、遊技領域１１を流下する遊技球を、この進入口で受け入れ、メイン役物装置２０の内部に進入させる。
【００５０】
ステージ部材２１ｐは、その上面部によって遊技球の転動面を構成するが、この転動面は左右の端部から中央部に向かって下る傾斜面とされている。但し、転動面の中央部では上方に向かって僅かに隆起する隆起部とされている。また、ステージ部材２１ｐには、転動面上の遊技球をメイン役物装置２０の外部に排出するための排出通路が設けられている。尚、排出通路の入口部２１ｕは、転動面の中央部の背後において、この中央部と連続する位置で開口し、排出通路の出口部２１ｖは、この中央部よりも下方の位置で開口している。
【００５１】
本実施例では、遊技領域１１を流下し、メイン役物装置２０の内部に進入した遊技球は転動面の左端部に到達し、転動面上を右方向に転動し、更に、左方向に転動する。そして、遊技球の勢いが衰えたところで、この遊技球は排出通路を通過してメイン役物装置２０外に排出されるか、或いは、転動面の前縁部から、メイン役物装置２０外に排出される。尚、出口部２１ｖの直下に、後述する始動入賞装置１７が位置している。
【００５２】
演出表示装置２７は、液晶表示装置によって構成されるものであり、後述する右下表示装置６０と同様に、特別図柄の変動表示及び停止表示を行う。但し、この演出表示装置２７においては、右下表示装置６０における特別図柄の変動表示および停止表示に連動する演出表示（図柄変動表示）を実行する。尚、本実施例では、右下表示装置６０が、本図柄（特別図柄の一具体例を示す。）を表示するための表示装置を構成し、演出表示装置２７が疑似図柄（特別図柄の他の具体例を示す。）を表示する。
【００５３】
演出表示装置２７の表示画面２７ａは、その全体、若しくは、一部を用いて種々の図柄を表示可能である。この演出表示装置２７には、図５（ｂ）に示すように、３つの疑似図柄表示部２７ｂ〜２７ｄと、その他の部分で構成される背景画面表示部２７ｈとが出現することがある。この場合、この疑似図柄表示部２７ｂ〜２７ｄは、表示画面２７ａにおいて横方向に３つ並んで配置される。このように出現する各疑似図柄表示部２７ｂ〜２７ｄでは、「疑似図柄」を用いた演出表示（変動表示）と、停止表示等がなされる。
【００５４】
また、表示画面２７ａに疑似図柄表示部２７ｂ〜２７ｄが表示されるときには、この表示画面２７ａのその他の部位によって背景画面表示部２７ｈが表示される。そして、この背景画面表示部２７ｈには、背景を示す図柄（以下、背景図柄という）を表示したり、この背景図柄と共にキャラクタを示す図柄（以下、キャラクタ図柄という）を表示することができる。これら「疑似図柄」や「背景図柄」や「キャラクタ図柄」は、演出表示装置２７の表示画面２７ａに表示される「演出図柄」の一具体例を示すものであり、これら「疑似図柄」や「背景図柄」や「キャラクタ図柄」により「図柄変動演出表示」が実現される。
【００５５】
普通図柄作動ゲート（普通図柄作動口）１６は、遊技領域１１において、メイン役物装置２０の左側方に位置する部位に配設されている。また、この普通図柄作動ゲート１６内には普通図柄作動ゲート通過検出スイッチ１６ｓ（図８参照）が配設されている。そして、普通図柄作動ゲート通過検出スイッチ１６ｓにより遊技球が検出されることを前提に「普通図柄の変動開始条件（普通図柄の抽選実行条件）」が成立すると、左下表示装置５０（後述する。）において、普通図柄変動表示（具体的には、普通図柄用のランプ装置の点滅表示）を開始する。そして、普通図柄の変動表示開始後、所定の変動時間が経過すると、普通図柄確定表示（点滅、若しくは、消滅）がなされる。そして、普通図柄の当り表示（点灯表示等）がなされると、普通電動役物１７ｄが所定時間（例えば、０．５秒）開放駆動される。
【００５６】
始動入賞装置１７は、ステージ部材２１ｐの遊技球排出路２１ｕの直下に位置する部位に配設されている。そして、第１の始動入賞部１７ａと、第２の始動入賞部１７ｂとを上下に配設した構成を備える。このうち、第１の始動入賞部１７ａは、上方に開口部、つまり、第１の始動口を開口させたポケット形状を備えている。この第１の始動口は、排出通路の出口部２１ｖの直下に位置するため、排出通路を通過した遊技球は、この第１の始動口を通じて、始動入賞装置１７に入賞する確率が高くされている。
【００５７】
第２の始動入賞部１７ｂは、第１の始動入賞部１７ａの略直下に位置すると共に、入口側部分に普通電動役物１７ｄを備えている。この普通電動役物１７ｄは、いわゆるチューリップ式で左右に一対の翼片部が開閉するべく形成されている。つまり、第２の始動入賞部１７ｂは、この一対の翼片部を作動させるための普通電動役物ソレノイド１７ｃ（図７参照）を備えている。そして、この一対の翼片部が左右に開くと、遊技球の入球可能性が高くなる開放状態となり、一対の翼片部が立設され、遊技球の入球可能性が低くなる通常状態となる。
【００５８】
始動入賞装置１７の内部には、第１の始動入賞部１７ａ、若しくは、第２の始動入賞部１７ｂを遊技球の通過を検出する始動口入賞検出スイッチ１７ｓ（図８参照）が配設されている。つまり、第１の始動入賞部１７ａに入賞した遊技球と、第２の始動入賞部１７ｂに入賞した遊技球は、始動入賞装置１７内の同一の通路（図示を省略）を通過し、この通路の経路途中に配設された始動口入賞検出スイッチ１７ｓによって検出される。
【００５９】
大入賞装置３１は、大入賞口３１ａを開放・閉鎖するための開閉板３１ｂと、この開閉板３１ｂを駆動するための大入賞口ソレノイド３１ｃ（図８参照）と、大入賞口３１ａへの遊技球の入賞を検出するための大入賞口入賞検出スイッチ３１ｓ（図８参照）と、を備える。また、開閉板３１ｂは、その下端部が軸支されることで、傾動可能とされている。そして、開閉板３１ｂが起立姿勢となると、この開閉板３１ｂが大入賞口３１ａを閉鎖するため、大入賞装置３１への遊技球の入賞が不可能となり、開閉板３１ｂが、その下端部を支点に前方に傾動して前傾姿勢となると、大入賞口３１ａが開放される。
【００６０】
図４に戻り、左下表示装置５０は、大入賞装置３１の左側方に配置されている。この左下表示装置５０は、図６（ａ）に示すように、略円弧状に構成されると共に、遊技盤１０の前面部に取り付けられる取付板５１を備えている。そして、この取付板５１には、普通図柄保留表示部５２と、特別図柄保留表示部５３と、遊技状態表示部５５と、普通図柄表示部５６とが設けられている。
【００６１】
普通図柄保留表示部５２は、２個のＬＥＤを用いて構成され、所謂「普通図柄に関する保留数」を、４個を上限として表示するものである。つまり、普通図柄作動ゲート（普通図柄作動口）１６を通過したが、未だ、未消化の遊技球の数（即ち、保留球）を、４個を上限数として表示すると共に、未消化の遊技球が消化される毎に「未消化の遊技球の数（即ち、保留球）」を、順次、デクリメントして表示するものである。ここで、普通図柄に関する「未消化の遊技球（つまり、保留球）」とは、普通図柄作動ゲート１６を通過したが、後述する普通図柄表示部５６において、当該通過に伴う当否抽選の結果の表示と、これに先行する変動表示（本実施例では、ＬＥＤを用いて点滅表示）とがなされていない遊技球を指す。
【００６２】
特別図柄保留表示部５３も、２個のＬＥＤを用いて構成され、所謂「特別図柄に関する保留数」を、４個を上限として表示するものである。つまり、始動入賞装置１７に入賞したが、未だ、「未消化の遊技球の数（即ち、保留球）を、４個を上限数として表示すると共に、未消化の遊技球が消化される毎に「未消化の遊技球の数（即ち、保留球）」を、順次、デクリメントして表示するものである。ここで、特別図柄に関する「未消化の遊技球（つまり、保留球）」とは、始動入賞装置１７に入賞したが、後述する特別図柄表示部８２において、当該通過に伴う当否抽選（当否判定）の結果の表示と、これに先行する変動表示とがなされていない遊技球を指す。
【００６３】
普通図柄保留表示部５２及び特別図柄保留表示部５３においては、同様な態様で、保留数の表示を行う。つまり、（ａ）２個のＬＥＤを消灯させて「保留数」が「ゼロ」であることを、（ｂ）１個のＬＥＤを点灯させ、１個のＬＥＤを消灯させて「保留数」が「１」であることを、（ｃ）２個のＬＥＤを点灯させて「保留数」が「２」であることを、（ｄ）１個のＬＥＤを点滅させ、１個ＬＥＤを点灯させて「保留数」が「３」であることを、（ｅ）２個のＬＥＤを点滅させて「保留数」が「４」であることを各々示す。
【００６４】
遊技状態表示部５５は、１個のＬＥＤを用いて構成され、遊技機１の電源投入時（遊技機１の起動時）の遊技状態（遊技モード）を表示するために用いられる。具体的には、ＬＥＤを消灯させることで「遊技状態が通常遊技状態（通常モード）である」旨が表示され、ＬＥＤを点灯させることで「遊技状態が確変遊技状態（高確率モード）である」旨が表示される。つまり、遊技状態表示部５５のＬＥＤは、電源投入時（起動時）に遊技モードが高確率モードとなっている場合に限り、点灯するものである。この場合、特別図柄の当否判定の結果として「大当り」が得られると、以後、遊技状態表示部５５のＬＥＤは消灯する。そして、遊技機１の電源を切るまでの間（遊技機１が稼働している間）に遊技状態が確変モードになったとしても、遊技状態表示部５５のＬＥＤが点灯することはない。
【００６５】
ここで、本実施例では、遊技機１の遊技モード（遊技状態）が「通常モード」から「高確率モード」に移行すると、当否抽選判定で大当り判定がなされる確率を通常に比べ高い確率に設定する確変手段と、特別図柄や普通図柄の変動時間を通常（変動時間短縮手段の非作動時）に比べ短い時間に設定される可能性を高くする変動時間短縮手段と、普通電動役物１７ｄの開放時間を通常に比べ長い時間に設定したり、開放回数を通常に比べ多い回数に設定する開放延長手段とが作動する。そして、遊技機１の遊技モードが「高確率モード」から「時短モード」に移行すると、変動時間短縮手段および開放延長手段が作動を継続し、確変手段のみが作動を停止する。更に、遊技機１の遊技モードが「時短モード」から「通常モード」に戻されると、変動時間短縮手段および開放延長手段が作動を停止する。
【００６６】
次に、右下表示装置６０は、前述のように、特別図柄表示部６２と、大当り態様表示部６３とを備える。このうち、特別図柄表示部６２は、図６（ｂ）に示すように、７個のＬＥＤ６２ａ〜６２ｇを用いて構成され、「始動入賞装置１７への遊技球の入賞（以下、「始動入賞」という）に伴う当否判定の結果の表示」を、変動表示（本実施例では、複数のＬＥＤを用いて点灯表示）を経て実行する。つまり、図５（ａ）に示すように、この「当否判定に関する結果の表示に、先行する変動表示」の実行時期が到来すると、「７個のＬＥＤ６２ａ〜６２ｇ」を順次、点灯させる。そして、この変動表示（以下、「ＬＥＤ６２ｂ〜６２ｇを用いた循環表示」という）を実行し、「特別図柄の当否判定に関する結果の表示」の実行時期が到来すると、特別図柄表示部６２において、特別図柄の停止表示（確定表示）が実行される。
【００６７】
大当り態様表示部６３は、２個のＬＥＤ６３ａ、６３ｂを用いて構成され、主に、「特別図柄の当否判定の結果が当選（大当り）である場合、それに基づいて発生する大当りの種類」を表示するために用いられる。つまり、特別図柄表示部６２において大当り表示がなされていない場合には、２個のＬＥＤ６３ａ、６３ｂは消灯状態とされる。そして、特別図柄表示部６２において大当り表示がなされる場合、何れかのＬＥＤ６３ａ、６３ｂを点灯させて、当該大当りの種類が表示される。
【００６８】
図６（ａ）に示すように、２個の一般入賞装置４０、４１は、左下表示装置５０を構成する取付板５１に一体化されている。そして、各一般入賞装置４０、４１の内部には、遊技球の入賞を検出するための入賞検出スイッチ４０ｓ、４１ｓ（図７参照）が配設されている。
【００６９】
図４に戻り、多数の障害釘（図示を省略）は、以上説明した各盤部品との位置バランスを考慮して、遊技領域１１にパチンコ遊技に適するべく配設され、遊技盤１０の下方にはアウト口１８が設けられている。更に、アウト口１８の下部にはバック球防止部材（図示を省略）が設けられている。
【００７０】
ｃ．遊技機１の裏面構造
次に、本実施例の遊技機１の裏面構造について図７を参照して説明する。つまり、遊技機１の裏面構造は、大きな裏パック１０２の上に各種装置が搭載された構造となっており、裏パック１０２は、一対のヒンジ１０３によって中枠３に開閉可能に軸支されている。
【００７１】
裏パック１０２には、遊技球が蓄えられる遊技球タンク１０５と、賞球または貸球としての遊技球の払い出しを行う遊技球払出装置１０９と、「主制御部２００Ａを構成する主制御基板２００」を主制御基板ケースに収納して構成される主制御基板装置７０と、「発射装置ユニットを制御する発射制御基板２６０」を発射装置制御基板ケースに格納して構成される発射装置制御基板装置１３０と、「遊技球払出装置１０９を制御する払出制御基板２４０」を払出制御基板ケースに格納して構成される払出制御基板装置と、主制御基板２００と各種スイッチ類とを中継する中継端子板などが搭載されている。また、遊技球タンク１０５には底部にタンクスイッチが設けられており、球切れを検出することができる。また、遊技球タンク１０５と遊技球払出装置１０９とは、タンクレール１０６によって接続されている。更に、図７において、タンクレール１０６の右側には球抜きレバーが設けられ、タンクレール１０６の下流側には補給球切れ検知スイッチが設けられている。
【００７２】
ここで、主制御基板ケースは、各請求項に示す「基板収納ケース」の具体例を構成するが、その他の制御基板ケース（「後述する演出制御基板２２０を収納するケース」、「発射装置制御基板ケース」、「払出制御基板ケース」等）が各請求項の発明に示す「基板収納ケース」の具体例を構成してもよい。なお、主制御基板ケースの詳細については後述する。
【００７３】
（２）制御回路の構成
次に、図８及び図９を用いて本実施例の遊技機１の制御回路の構成について説明する。本遊技機１の制御回路は、主制御部２００Ａと、複数の副制御部（２２０Ａ、２４０Ａ、２６０Ａ）とを含んで構成されている。つまり、主制御基板２００を用いて構成されると共に遊技の基本的な進行や賞球に関わる当否についての制御を司る主制御部２００Ａと、複数の副制御部（２２０Ａ、２４０Ａ、２６０Ａ）とを備えている。
【００７４】
副制御部としては、（ａ）サブ制御基板２２０を用いて構成されると共に、「図柄表示、ランプの発光、効果音、可動物の動作等を用いた遊技の各種の演出の制御を司るサブ制御部２２０Ａと、（ｂ）演出表示制御基板２２２を用いて構成されると共に、「図柄表示、ランプの発光、効果音、可動物の動作等を用いた遊技の各種の演出の制御を司る演出制御部２２２Ａと、（ｃ）払出制御基板２４０を用いて構成されると共に貸球や賞球を払い出す動作の制御を司る払出制御部２４０Ａと、（ｄ）発射制御基板２６０を用いて構成されると共に遊技球の発射に関する制御を司る発射制御部２６０Ａを備える。尚、副制御部には、主制御部１４０に直に接続された第１次副制御部（２２０Ａ、２４０Ａ）と、この第１次副制御部を介して主制御部２００Ａに接続された第２次副制御部（２６０Ａ）とが存在する。
【００７５】
これらの制御部（２００Ａ、２２０Ａ、２４０Ａ、２６０Ａ）を構成する制御基板（２００、２２０、２４０、２６０）は、各種論理演算および算出演算を実行するＣＰＵや、ＣＰＵで実行される各種プログラムやデータが記憶されているＲＯＭ、プログラムの実行に際してＣＰＵが一時的なデータを記憶するＲＡＭ、周辺機器とのデータのやり取りを行うための周辺機器インターフェース（ＰＩＯ）、ＣＰＵが演算を行うためのクロックを出力する発振器、ＣＰＵの暴走を監視するウォッチドッグタイマ、定期的に割り込み信号を発生させるＣＴＣ（カウンター・タイマ・サーキット）など、種々の周辺ＬＳＩがバスで相互に接続されて構成されている。尚、図８及び図９中の矢印の向きは、データあるいは信号を入出力する方向を表している。また、図８においては、主制御基板２００に搭載されたＣＰＵ２０１、ＲＡＭ２０２、ＲＯＭ２０３のみ図示されており、主制御基板２００に搭載されているＰＩＯ、更には、他の制御基板に搭載されているＣＰＵや、ＲＡＭ、ＲＯＭなどについては図示を省略している。
【００７６】
主制御部２００Ａ（主制御基板２００）は、普通図柄作動ゲート通過検出スイッチ１６ｓ、始動口入賞検出スイッチ１７ｓ、一般入賞検出スイッチ４０ｓ、４１ｓ、４３ｓ、４４ｓ、大入賞口入賞検出スイッチ３１ｓ等から遊技球の検出信号を受け取って、遊技の基本的な進行や賞球に関わる当否を決定した後、サブ制御部２００Ａ（サブ制御基板２２０）や、払出制御部２４０Ａ（払出制御基板２４０）、発射制御部２６０Ａ（発射制御基板２６０）等に向かって、後述する各種の信号（コマンド）を出力する。また、主制御部２００Ａ（主制御基板２００）には、発射装置ユニットから発射された遊技球を検出するカウントスイッチ８ｓも接続されている。
【００７７】
また、主制御部２００Ａ（主制御基板２００）は、普通電動役物ソレノイド１７ｃや、大入賞口ソレノイド３１ｃ、左下表示装置５０、右下表示装置６０に信号を出力することにより、これらの動作を直接制御している。つまり、主制御部２００Ａ（主制御基板２００）は、「始動入賞に起因して大当りか否かを当否判定する当否判定手段」と、「大当り遊技を実行する大当り遊技実行手段」として機能することになる。また、主制御部２００Ａ（主制御基板２００）を構成するＣＰＵ２０１により決定された所定の信号（コマンド）は、サブ制御基板２２０や払出制御基板２４０に対してそれぞれ送信される。
【００７８】
サブ制御部２２０Ａ（サブ制御基板２２０）は、主制御部２００Ａ（主制御基板２００）からの各種信号（コマンド）を受け取ると、信号（コマンド）の内容を解析して、その結果に応じた遊技の演出を行う。つまり、サブ制御部２２０Ａ（サブ制御基板２２０）は、主制御部２００Ａ（主制御基板２００）からの制御信号に基づいて遊技の演出の制御を司るものである。このサブ制御部２２０Ａ（サブ制御基板２２０）には、図２２に示すように、演出表示制御部２２２Ａ（演出表示制御基板２２２）と、アンプ基板２２４と、装飾駆動基板２２６と、演出ボタン基板２２８と、にそれぞれ電気的に接続されている。サブ制御基板２２０は、ＣＰＵと、ＲＯＭと、ＲＡＭとを備えている。
【００７９】
サブ制御基板２２０のＣＰＵは、主制御基板２００からの制御信号を受けて演出表示制御基板２２２、アンプ基板２２４、装飾駆動基板２２６及び演出ボタン基板２２８などの各基板を制御する。また、ＲＯＭには、各基板の制御に必要なデータ（特に遊技の装飾に関する情報）が記憶されている。また、ＣＰＵは、主制御部２００Ａ（主制御基板２００）から送出された表示制御コマンド（つまり、表示制御信号）を受信すると共に、ＲＯＭに記憶されたプログラムに従って解析する。そして、サブ制御部２２０Ａ（サブ制御基板２２０）を構成するＣＰＵは、このＣＰＵにより決定された所定の表示制御コマンドや、主制御部２００Ａ（主制御基板２００）から送信されたままの表示制御コマンドを演出表示制御部２２２Ａ（演出表示制御基板２２２）に対して送信する。
【００８０】
アンプ基板２２４には、所定の効果音を出力するスピーカＳＰ１〜ＳＰ４が電気的に接続されている。また、装飾駆動基板２２６には、前面枠４や遊技盤１０等に設けられる装飾用の各種ＬＥＤ（ランプ）を搭載した各種ＬＥＤ基板が接続されている。また、装飾駆動基板２２６は、サブ制御基板２２０Ａからの信号を受けて遊技の装飾に関する制御を行うものである。
【００８１】
払出制御部２４０Ａには、発射制御部２６０Ａ及び主制御部２００Ａが双方向通信可能な状態に接続されている。この払出制御部２４０Ａは、所謂、貸球や賞球の払い出しに関する各種の制御を司っている。例えば、遊技者が貸出スイッチ５ｃや返却スイッチ５ｑを操作すると、その操作信号は、球貸表示基板４１０から中継端子板を介して払出制御基板２４０に伝達され、その操作信号に基づいて払出モータ１０９ｍを駆動させるための駆動信号が、遊技球払出装置（払出装置）１０９（払出モータ１０９ｍ）に伝達される。
【００８２】
また、主制御部２００Ａが賞球の払出コマンドを出力すると、このコマンドを払出制御部２４０Ａが受け取って、払出モータ１０９ｍに駆動信号を出力することによって賞球の払い出しが行われる。また、払い出される遊技球は、２つの払出スイッチ（前側払出スイッチ１０９ａ、後側払出スイッチ１０９ｂ）によって検出されて、払出制御部２４０Ａに入力される。更に、払い出された賞球数はカウントスイッチ１０９ｃによっても検出されて、主制御部２００Ａでも計数されている。
【００８３】
（３）主制御基板装置７０の構成
主制御基板装置７０は、図１０〜図１３を用いて示されるように、主制御基板２００と、主制御基板ケース７１と、封印シール７８と、封印シールカバー８０と、連結部材８５と、防犯キャップ８６と、を備える。
【００８４】
主制御基板２００は、図１１に示すように、導体パターン部及びスルーホール部（図示を省略）等が形成された絶縁基板２０１と、この絶縁基板２０１に実装された電子部品２０２（「ＩＣ、トランジスタ、ダイオード、オペアンプ等の能動素子」、「抵抗、コイル、コンデンサ等の受動素子」、「コネクタ等の接続端子」等）と、を備える。また、絶縁基板２０１の４隅には、この基板を主制御基板ケース７１に取付けるための取付孔２０３が、肉厚方向に貫通する状態に設けられている。
【００８５】
主制御基板ケース７１は、「基板収納ケース」の具体例を構成するものであり、図１０及び図１１に示すように、ケース本体７２とケース蓋７５とを備える。このケース本体７２とケース蓋７５とを組み合わせて、内部に主制御基板２００が収納される収納空間７１Ｋを形成する。また、この主制御基板ケース７１は正面形状は横長の略矩形とされるが、ケース本体７２が遊技者に近接する側に配置され、ケース蓋７５がケース本体７２の後方に配置される。そして、主制御基板ケース７１の長手方向が左右を向き、主制御基板ケース７１の短手方向が上下を向くようにしつつ、裏パック１０２に装着されている。
【００８６】
なお、各図に「上の文字と矢印」を併記した部分では、主制御基板ケース７１が裏パック１０２に装着されたときの「鉛直上方」を当該矢印が指し示している。また、各図に「Ｂの文字と矢印」を併記した部分では、「一端側」を当該矢印が指し示し、各図に「Ｃの文字と矢印」を併記した部分では、「他端側」を当該矢印が指し示している。更に、以下の説明においては、主制御基板ケース７１が裏パック１０２に装着されたときに、遊技者に近接する方向を「前方」と称し、遊技者に近接する「面」を「前面」と称し、各図に「前の文字と矢印」を併記した場合、この「前方」を当該矢印が指し示している。また、遊技者に離間する方向を「後方」と称し、遊技者に離間する「面」を「後面」と称し、各図に「後の文字と矢印」を併記した場合、この「後方」を当該矢印が指し示している。
【００８７】
ケース本体７２は透明な合成樹脂を用いた一体成形品であり、「第１のケース部材」の一具体例を構成する。また、図１４に示すように、開口部７２Ａが後方に向けて配置され（図１９を参照）、略矩形板状に構成される基板部７２ａと、基板部７２ａの上端縁を除く縁部から立ち上げられた周壁部７２ｂとを備える。つまり、この周壁部７２ｂは、基板部７２ａの一端縁から立ち上げられた側壁部（以下、「一端壁Ｄ１」という）と、基板部７２ａの下端縁から立ち上げられた側壁部（以下、「下端壁Ｄ２」という）と、基板部７２ａの他端縁から立ち上げられた側壁部（以下、「他端壁Ｄ３」という）とを備え、ケース本体７２の上端縁は壁部を備えない開放部Ｅ１とされている。なお、基板部７２ａは、後面部７２ｄ（図１４において上方に向けられた面）をケース蓋７５の基板部７５ａ（後述する）と前後に対向しつつ収納空間７１Ｋを形作る面部分とするとともに、その前面部７２ｅ（図１４において、後面部７２ｄの裏側に位置する面）を裏パック１０２に対向する面部分としている（図１１を参照）。
【００８８】
図１４に示すように、基板部７２ａの後面部７２ｄにおいて、上縁側の３カ所には、係合突起７２ｆが設けられている。これらの係合突起７２ｆは、基板部７２ａの上縁に沿って所定の間隔（一端側、他端側及び略中央）をおいて後方に向かって突出する状態に設けられている。また、各係合突起７２ｆは略Ｌ字状に構成され、基端側の部分を後面部７２ｄから後方に突出する略矩形板状に構成し、突端側の部分（以下、「係合本体部７２１ｆ」という）を、基端側の部分の突端から上方に突出する略矩形板状に構成している。
【００８９】
図１４に示すように、基板部７２ａの後面部７２ｄにおいて、一端壁Ｄ１側に位置する部位には、２個のスライド突起７２ｇが設けられている。これらのスライド突起７２ｇは、基板部７２ａの一端側において上下に並設されている。また、これらのスライド突起７２ｇは略Ｌ字状に構成されるとともに、基端側の部分を後面部７２ｄから後方に突出する略矩形板状に構成し、突端側の部分を基端側の部分の突端から「基板部７２ａの他端方向」に突出する略矩形板状に構成している。
【００９０】
図１４に示すように、基板部７２ａの後面部７２ｄにおいて、係合突起７２ｆよりも下方であって、スライド突起７２ｇよりも「基板部７２ａの他端方向」に位置する部位の４隅からは、主制御基板２００を支持するための支持部７２ｈが突出している。これらの支持部７２ｈの突端部で開口する略筒形状（例えば、略円筒形状）とされるとともに、その内壁部にはビス７２Ｂを螺合させるための雌ネジ部７２１ｈが設けられている（図１１を参照）。
【００９１】
図１１に示すように、主制御基板装置７０においては、主制御基板２００の裏面部を基板部７２ａの後面部７２ｄに対向させつつ、主制御基板２００の４隅の取付孔２０３を対応する支持部７２ｈの雌ネジ部７２１ｈに位置合わせする。そして、主制御基板２００の表面部側から雌ネジ部７２１ｈに向かって、ビス７２Ｂの雄ネジ部７２１Ｂを螺合することで、主制御基板２００はケース本体７２に固定されている。
【００９２】
図１４に示すように、他端壁Ｄ３からは略コの字状の延設部７２ｋが突出している。つまり、延設部７２ｋの一方の端部が他端壁Ｄ３の上端部に一体化され、延設部７２ｋの他方の端部が他端壁Ｄ３の上下方向中間部と一体化されることで、他端壁Ｄ３及び延設部７２ｋが略矩形の枠形状を形成している。また、他端壁Ｄ３において、延設部７２ｋで取り囲まれた部位からは、３個のケース側封止部７２ｍが突出している。すなわち、３個のケース側封止部７２ｍは所定の間隔をおいて上下方向に並設されている。これらのケース側封止部７２ｍは、略筒状に構成される封止本体７２ｎと、各封止本体７２ｎと延設部７２ｋとの間に２個ずつ配置されるリブ７２ｐとを備える。
【００９３】
封止本体７２ｎは、図１３に示すように、軸心を前後（他端壁Ｄ３の立ち上げ方向）に向けた略筒形状に構成され、内壁に雌ネジ部７２ｑが設けられている。また、リブ７２ｐは封止本体７２ｎと他端壁７２Ｄとの間に掛け渡される肉薄の板状体で構成されるとともに、各封止本体７２ｎに２個ずつ配置されている。なお、リブ７２ｐを工具（ニッパー等）で切断することで、各封止本体７２ｎと、他端壁Ｄ３とを分離することができる。
【００９４】
図１４及び図１５に示すように、下端壁Ｄ３は左右方向中間部に下端壁Ｄ３の他の部位よりも「基板部７２ａからの突出量」が多くなるように隆起した隆起部７２ｒを備える。この隆起部７２ｒは、横長の略直方体形状とされるとともに、上面部（基板部７２ａの下端縁から遠ざかる位置の面）の両端側には、上方に向かって薄板状に突出する突出部７２ｓ、７２ｔが設けられている。そして、これらの突出部７２ｓ、７２ｔにおいて対向する面（以下、「対向面」という）７２１ｓ、７２１ｔには、係合孔７２ｖ、７２ｖが設けられている。なお、係合孔７２ｖは「被係合部」の具体例を構成する。
【００９５】
ケース蓋７５も、透明な合成樹脂を用いた一体成形品であり、「第２のケース部材」の一具体例を構成する。また、図１６に示すように、前方に開口部７５Ａを向けて配置される略容器形状に構成され（図１１、図１９を参照）、略矩形板状に構成される基板部７５ａと、周縁部から前方に向けて立ち上げられた周壁部７５ｂとを備える。つまり、ケース蓋７５は、基板部７５ａと、その４個の縁部（上縁、下縁、左右の両側縁）を包囲する略４角枠状の周壁部７５ｂとを備える。なお、図１１に示すように、基板部７５ａは、その前面部７５ｄが収納空間７１Ｋを形作る面部分とされ、前面部７５ｅが遊技機１の後方を向く面部分とされている。
【００９６】
図１６に示すように、基板部７５ａにおいて、「他端側」に位置する部位には、主制御基板ケース７１に収納される主制御基板２００と接続するためのコネクタ（図示を省略）を挿通する挿通孔７５ｆが設けられている。また、図１１及び図１７に示すように、基板部７５ａの前面部７５ｄにおいて、上縁側に位置する部位からは被係合用リブ７５ｇが突出している。この被係合用リブ７５ｇは、基板部７５ａと略直交する矩形板状に構成され、周壁部７５ｂにおいて基板部７５ａの上端縁から突出する部分（以下、「上端壁７５ｈ」という）と略平行に配置されている。そして、この被係合用リブ７５ｇには、ケース本体７２に形成された各係合突起７２ｆ（係合本体部７２１ｆ）が係合される係合孔７５１ｇが貫通状に設けられている。
【００９７】
図１８及び図１９に示すように、基板部７５ａの前面部７５ｄにおいて、基板部７５ａの一端側に位置する部位には、２個のスライド突起７５ｊが設けられている。これらのスライド突起７５ｊは、基板部７５ａの一端側において上下に並設されている。また、これらのスライド突起７５ｊは略Ｌ字状に構成されるとともに、基端側の部分を前面部７５ｄから前方に突出する略矩形板状に構成し、突端側の部分を、基端側の部分の突端から「基板部７５ａの一端方向」に突出する略矩形板状に構成している。そして、上方のスライド突起７５ｊがケース本体７２の上方のスライド突起７２ｊにスライド係合可能とされ、下方のスライド突起７５ｊがケース本体７２の下方のスライド突起７２ｊにスライド係合可能とされている。
【００９８】
図１６に示すように、ケース蓋７５の周壁部７５ｂにおいてケース蓋７５の他端側に位置する部位（以下、「他端壁７５Ｄ」という）からは略コの字状の延設部７５ｋが突出している。つまり、延設部７５ｋの一方の端部を他端壁７５Ｄの上端部と一体化し、延設部７５ｋの他方の端部を他端壁７５Ｄの上下方向中間部と一体化することで他端壁７５Ｄ及び延設部７５ｋが略矩形の枠形状を形成している。
【００９９】
他端壁７５Ｄにおいて、延設部７５ｋで取り囲まれた部位からは、３個の蓋側封止部７５ｍが突出している。すなわち、３個の蓋側封止部７５ｍは所定の間隔をおいて上下方向に並設されている。これらの蓋側封止部７５ｍは、略筒状に構成される封止本体７５ｎと、各封止本体７５ｎと他端壁７５Ｄとの間に２個ずつ配置されるリブ７５ｐとを備える。
【０１００】
封止本体７５ｎは、図１３に示すように、軸心を前後に向けた略筒形状に構成され、上下方向に向かって内径を３段階に変化させている。つまり、内径が一番大きい大内径部７５１ｎと、内径が大内径部７５１ｎよりも段差状に小さい中内径部７５２ｎと、内径が中内径部７５２ｎよりも段差状に小さい小内径部７５５ｎと、を備える。また、小内径部７５５ｎの内壁に雌ネジ部７５６ｎが設けられている。また、リブ７５ｐは封止本体７５ｎと他端壁７５Ｄとの間に掛け渡される肉薄の板状体で構成されるとともに、封止本体７５ｎ毎に２個ずつ配置されている。なお、リブ７５ｐを工具（ニッパー等）で切断することで、各封止本体７５ｎと、他端壁７５Ｄとを分離することができる。
【０１０１】
図１６に示すように、ケース蓋７５の下端側の左右方向中間部において、基板部７５ａ及び周壁部７５ｂを段差状に凹ませて封止用凹部７５Ｒが形成されている。この封止用凹部７５Ｒは、周壁部７５ｂにおいてケース蓋７５の下端側に位置する部位（以下、「下端壁７５Ｅ」という）の左右方向中間部を上方に向かって段差状に凹ませるとともに、基板部７５ａにおいてケース蓋７５の下端側に位置する部位の左右方向中間部を前方に向かって段差状に凹ませることによって構成されている。
【０１０２】
この封止用凹部７５Ｒでは、基板部７５ａ及び周壁部７５ｂの一部を用いて段部７５ｑが形成されている。この段部７５ｑは、基板部７５ａよりも前方に位置する第１の板状部７５ｒと、下端壁７５Ｅよりも上方に後退する第２の板状部７５ｓとを備える。そして、第１の板状部７５ｒ及び第２の板状部７５ｓは略矩形板状に構成されるとともに、第１の板状部７５ｒの下端縁と第２の板状部７５ｓの後端縁とが略Ｌ字状に略直交している。また、第１の板状部７５ｒは、基板部７５ａのその他の部位よりも前方に後退する状態とされ、第２の板状部７５ｓは下端壁７５Ｅを構成する他の部位よりも上方に後退する状態とされている。
【０１０３】
封印シール７８は、図１８（ｂ）に示すように、不透明なシート材で構成される略矩形で長尺状のシール本体７８ａを備え、このシール本体７８ａの裏面部（貼付面）に粘着剤を塗布して粘着剤層７８ｂが形成されている。但し、図１８（ｂ）中において、粘着剤層７８ｂを実際よりも肉厚に誇張して記載しているとともに、図１８（ｂ）を除く各図において、封印シール７８を図示する場合には、粘着剤層７８ｂの図示を省略している。
【０１０４】
なお、粘着剤層７８ｂの一部にアンテナ付きのＩＣタグ（アンテナ部付きのＩＣチップ）を貼り付けてもよい。また、このＩＣタグを構成するチップ部（ＩＣチップ）には、当該主制御基板装置７０に関する固有の識別情報（例えば、識別用ＩＤ）を予め記憶し、この識別情報をアンテナ部で発信する。そして、このアンテナ部で発信された識別情報をリーダーライター等の外部読取機によって読み取って、主制御基板装置７０が正規品であるか否かを確認可能としてもよい。更に、封印シール７８がカッター部８２ｆで破壊されたときに、ＩＣタグが破壊されることとしてもよい。この場合、リーダーライター等の外部読取機は識別情報を受信不能となるため、主制御基板ケース７１を閉じたままの状態で、封印シール７８が破壊されたことを発見することができる。
【０１０５】
封印シールカバー８０は、樹脂を用いて構成された一体成形品であり、図２０〜図２２を用いて示すように、カバー本体部８１と、カバー本体部８１の裏面部８１ｂから突出する挿入部８２とを備える。なお、カバー本体部８１の裏面部８１ｂとは、封印シールカバー８０を主制御基板ケース７１に装着させる際に、主制御基板ケース７１における封印シール７８の貼付部位８８Ｖ（図２３を参照）に対向する面である。
【０１０６】
カバー本体部８１は、４角枠形状に構成されるとともに、表面部８１ａ及び裏面部８１ｂを平滑面とし、内側に略矩形の空間部８１ｃを貫通させている。このカバー本体部８１は、所定の間隔をおいて平行に配置される一組の縦枠部８１ｄ、８１ｅと、所定の間隔をおいて平行に配置される１組の横枠部８１ｇ、８１ｈとを用いて、４角枠形状に構成されるものである。また、縦枠部８１ｄ、８１ｅ及び横枠部８１ｇ、８１ｈは、何れも断面が略矩形で肉厚が等しい棒状に構成されている。
【０１０７】
このカバー本体部８１では、一組の縦枠部８１ｄ、８１ｅの端部間を一方の横枠部８１ｇが連結し、一組の縦枠部８１ｄ、８１ｅの他端部間を他方の横枠部８１ｈが連結する構造を備える。また、縦枠部８１ｄ、８１ｅの短手幅は横枠部８１ｇ、８１ｈの短手幅よりも大きくされ、縦枠部８１ｄ、８１ｅの長手幅は横枠部８１ｇ、８１ｈの長手幅よりも小さくされている。
【０１０８】
挿入部８２は、両縦枠部８１ｄ、８１ｅの裏面部から突出する状態に設けられている。この挿入部８２は、図２０に示すように、挿入本体部８２ａと、挿入本体部８２ａの両側に配置される係合脚８２ｂ、８２ｃとを備える。このうち、挿入本体部８２ａは、図２２に示すように、略板状に構成されつつ、カバー本体部８１に略直交する状態に配置される。また、挿入本体部８２ａは、両端から延出部８２ｄ、８２ｅを突出させ、一方の延出部８２ｄの突端部を一方の縦枠部８１ｄの長手方向及び短手方向に沿った中間部と一体化し、他方の延出部８２ｅの突端部を他方の縦枠部８１ｄの長手方向及び短手方向に沿った中間部と一体化している。
【０１０９】
図２２に示すように、挿入本体部８２ａにおいて、両延出部８２ｄ、８２ｅで挟まれた部位には、カッター部８２ｆが設けられている。このカッター部８２ｆは、挿入本体部８２ａにおいて、両延出部８２ｄ、８２ｅで挟まれるとともに、カバー本体部８１の裏面部８１ｂと対向する端部側の部位８２ｇに刃部（刃先部）８２ｈを設けて構成される（図２２を参照）。つまり、この部位８２ｇをカバー本体部８１の裏面部８１ｂの方向に向かって尖らせることで、この部位８２ｇに刃部（刃先部）８２ｈを設けている。
【０１１０】
図２２に示すように、この刃部（刃先部）８２ｈは、両延出部８２ｄ、８２ｅの突端部よりも、カバー本体部８１の裏面部８１ｂから離間する方向に後退しているため、刃部（刃先部）８２ｈとカバー本体部８１の裏面部８１ｂとの間には、前述の封印シール７８を挿入可能な隙間部（以下、「挿通用間隙部」という）８２ｊが設けられている。また、両延出部８２ｄ、８２ｅの間隔は、封印シール７８の短手幅よりも僅かに大きくされている。
【０１１１】
このため、封印シール７８の短手方向を、両延出部８２ｄ、８２ｅを掛け渡す方向に向けることで、封印シール７８を挿通用間隙部８２ｊに向かって挿通することが可能である。そして、両縦枠部８１ｄ、８１ｅの裏面部において、対応する延出部８２ｄ、８２ｅが突出する部位よりも、空間部８１ｃ側に位置する部位（以下、「縦側当接部８１ｍ、８１ｍ」という）は、両横枠部８１ｈ、８１ｈの裏面部（以下、「横側当接部８１ｎ、８１ｎ」という）とともに、封印シール７８に当接することができる。
【０１１２】
図２２に示すように、係合脚８２ｂ、８２ｃは、対応する縦枠部８１ｄ、８１ｅの裏面部において、対応する延出部８２ｄ、８２ｅが突出する部位よりも、カバー本体部８１の周縁部寄りの箇所から突出している。これらの係合脚８２ｂ、８２ｃの突端部には、空間部８１ｃから遠ざかる方向に突出する係合突起８２１ｂ、８２１ｃが設けられている。なお、係合突起８２１ｂ、８２１ｃは「係合部」の具体例を構成する。
【０１１３】
連結部材８５は、図１３に示すように、頭部８５ａと、軸部８５ｂとを備えている。また、軸部８５ｂには雄ネジ８５ｃが刻まれている。また、防犯キャップ８６は透明な合成樹脂を用いた一体成形品である。
【０１１４】
（４）主制御基板装置７０の組立方法
次に、本実施例の主制御基板装置７０の組立方法の一具体例を説明する。先ず、前述のように、主制御基板２００をケース本体７２に固定した後、ケース本体７２に対してケース蓋７５を組み付ける作業を行う。
【０１１５】
具体的には、図１９に示すように、ケース本体７２の開口部７２Ａと、ケース蓋７５の開口部７５Ａとを僅かに上下にずらした状態で対向させ、ケース本体７２のスライド突起７２ｊと、ケース蓋７５のスライド突起７５ｊとが係合するようにしつつ、ケース本体７２に対して、ケース蓋７５をスライドさせる（ケース本体７２をケース蓋７５に対してスライドさせてもよい。）。
【０１１６】
つまり、上方に位置するスライド突起７２ｊ、７５ｊ同士がスライド係合し、下方に位置するスライド突起７２ｊ、７５ｊ同士がスライド係合するようにしつつ、ケース本体７２に対してケース蓋７５をスライドさせる。
【０１１７】
このケース本体７２に対するケース蓋７５のスライドは、図１１に示すように、ケース本体７２の基板部７２ａの上端部７２Ｕが、ケース蓋７５の周壁部７５ｂに当接（近接でもよい。）するとともに、ケース本体７２の各係合突起７２ｆがケース蓋７５の対応する係合孔７５１ｇに係合（嵌合）するまで行われる（図１７を参照）。これにより、ケース本体７２に対するケース蓋７５の組付を完了し、ケース本体７２及びケース蓋７５によって収納空間７１Ｋが形成される。このとき、ケース本体７２の上端側の開放部７２ｃは、ケース蓋７５の周壁部７５ｂのうちで、ケース蓋７５の上端側に位置する部位によって閉鎖された状態となる。
【０１１８】
ケース本体７２に対するケース蓋７５の組付を完了すると、図１３に示すように、主制御基板ケース７１の他端側において、ケース側封止部７２ｍを構成する封止本体７２ｎと、蓋側封止部７５ｍを構成する封止本体７５ｎとのうちで対応関係にあるものが前後に重ね合わされた状態となる。つまり、最上部の封止本体７２ｎ、７５ｎ同士、上下方向中間部の封止本体７２ｎ、７５ｎ同士、最下部の封止本体７２ｎ、７５ｎ同士が重ね合わされた状態となる。そして、前後に重ね合わされる３組の封止本体７２ｎ、７５ｎのうちの一組が、連結部材８５及び防犯キャップ８６を用いて封止される。例えば、最上部の封止本体７２ｎ、７５ｎを、ケース蓋７５の手前側（ケース本体７２とは反対の方向）から装着される連結部材８５を用いて連結する。
【０１１９】
つまり、連結部材８５をその軸部８５ｂの側から大内径部７５１ｎに挿入し、この軸部８５ｂを小内径部７５５ｎの雌ネジ部７５６ｎと、雌ネジ部７２１ｈに螺合する。そして、連結部材８５の頭部８５ａが中内径部７５２ｎに進入し、頭部８５ａが中内径部７５２ｎの底面に当接することで、最上部の封止本体７２ｎ、７５ｎの連結を完了する。この後、大内径部７５１ｎに向かって防犯キャップ８６が圧入される。なお、この防犯キャップ８６を大内径部７５１ｎの内壁に係合したり、接着すること等もできる。
【０１２０】
このような封止本体７２ｎ、７５ｎ間の連結の解除は、対応するリブ７２ｐ、リブ７５ｐを工具（ニッパー等）で切断し、封止本体７２ｎ、７５ｎを主制御基板ケース７１から分離することで行うことができる。例えば、最上部の封止本体７２ｎ、７５ｎが連結されている場合には、最上部の封止本体７２ｎをケース本体７２に支持するリブ７２ｐと、最上部の封止本体７５ｎをケース蓋７５に支持するリブ７５ｐと、を工具（ニッパー等）で切断すればよい。
【０１２１】
なお、封止本体７２ｎ、７５ｎを再度連結する場合には、主制御基板ケース７１から分離されていない「１組の封止本体７２ｎ、７５ｎ（例えば、「上下方向中間部の封止本体７２ｎ、７５ｎ同士」若しくは「最下部の封止本体７２ｎ、７５ｎ同士」）」が、連結部材８５を用いて連結される。また、本実施例では、図１２に示すように、ケース本体７２及びケース蓋７５における他の箇所（例えば、主制御基板ケース７１の下端側）を、ビス７７Ｂ等の連結部材を用いて連結している。
【０１２２】
また、ケース本体７２に対するケース蓋７５の組付が完了すると、図２３に示すように、主制御基板ケース７１の下端側において、ケース蓋７５の封止用凹部７５ｒに対して、ケース本体７２の隆起部７２ｒが進入する。この進入は、ケース本体７２の突出部７２ｓ、７２ｔが、第２の板状部７５ｓに当接するまで行われる。そして、隆起部７２ｒが封止用凹部７５ｒに進入すると、両突出部７２ｓ、７２ｔの上面部７２ｗと、第２の板状部７５ｓの下面部７５ｗとが略当接する状態とされ、隆起部７２ｒの上面部のうちで両突出部７２ｓ、７２ｔに挟まれた部位と、下面部７５ｗとの間に隙間部（以下、「挿入用間隙部」という）８８が形成される。なお、隆起部７２ｒと、段部７５ｑ（第１の板状部７５ｒ及び第２の板状部７５ｓで構成され、図１６を参照）とが対向する部分が、「ケース本体７２とケース蓋７５との境界部から選択される特定部位」の具体例を構成する。
【０１２３】
つまり、突出部７２ｓ、７２ｔの肉厚（突出量）に相当する間隔の挿入用間隙部８８が形成される。また、図２３及び図２４に示すように、第１の板状部７５ｒの後面部７５ｘと、隆起部７２ｒの後面部７２ｘとは、挿入用間隙部８８を挟んで略同一平面上に並ぶことになる。そして、後面部７５ｘ、後面部７２ｘは、封印シール７８が貼付される貼付部位８８ｖを構成する。
【０１２４】
ケース本体７２に対するケース蓋７５の組付が完了すると、封印シール７８及び封印シールカバー８０は、主制御基板ケース７１に対して以下のように装着される。なお、「封止本体７２ｎ、７５ｎの連結」と、「封印シール７８及び封印シールカバー８０の装着」とのうちの何れを先に行ってもよい。
【０１２５】
先ず、図２４及び図２５に示すように、封印シールカバー８０の挿通用間隙部８２ｊに向かって封印シール７８の端部を挿通する。このとき、封印シール７８の粘着剤層７８ｂをカバー本体部８１とは反対の方向を向けた状態とする。また、封印シール７８の端部を一方の横枠部８１ｇの外縁部に位置合わせし、封印シール７８の他端部側を、他方の横枠部８１ｈよりも突出させた状態とする。そして、挿入部８２の突端部を先頭側としつつ、挿入部８２を挿入用間隙部８８に向かって挿入する。なお、この挿入を、例えば、嵌入状態で行ったり、圧入状態で行うことができる。
【０１２６】
この挿入部８２の挿入を行うと、図２６（ａ）に示すように、各係合脚８２ｂ、８２ｃを、その係合突起８２１ｂ、８２１ｃを対応する対向面７２１ｓ、７２１ｔに摺接させつつ、対向する係合突起８２１ｂ、８２１ｃの間隔を狭めるように弾性変形する。そして、図２６（ｂ）に示すように、係合突起８２１ｂ、８２１ｃが対応する係合孔７２ｖ、７２ｖの側方に到達すると、各係合突起８２１ｂ、８２１ｃは係合孔７２ｖ、７２ｖと係合するため、係合突起８２１ｂ、８２１ｃは弾性変形前の状態となる。そして、この係合突起８２１ｂ、８２１ｃと係合孔７２ｖ、７２ｖの係合（係合脚８２ｂ、８２ｃの弾性を用いた係合）によって、挿入部８２の挿入用間隙部８８からの抜け止めが図られる。
【０１２７】
係合突起８２１ｂ、８２１ｃが係合孔７２ｖ、７２ｖに係合すると、図１２に示すように、カバー本体部８１が、「第１の板状部７５ｒの後面部７５ｘ」及び「隆起部７２ｒの後面部７２ｘ」によって封印シール７８を挟持した状態となる。これにより、封印シール７８の端部が、挿入用間隙部８８を跨ぐ状態で、後面部７５ｘ及び後面部７２ｘに貼付された状態となる。そして、封印シール７８の他端部側を、隆起部７２ｒの下面部７２ｙに貼付することで、主制御基板ケース７１に対する封印シール７８を用いた封印を完了する。
【０１２８】
（５）実施例の効果
主制御基板装置７０によると、封印シールカバー８０を基板収納ケース７１に装着する作業によって、封印シール７８を基板収納ケース７１に貼付することができる。従って、「基板収納ケース７１を封印シール７８によって封印する作業」の効率化を図ることができる。
【０１２９】
また、主制御基板装置７０においては、封印シール７８の端部が、カバー本体部８１を構成する４角枠状に並ぶ４個の当接部（一対の縦側当接部８１ｍ、８１ｍ及び一対の横側当接部８１ｎ、８１ｎ）と、貼付部位（第１の板状部７５ｒの後面部７５ｘ及び隆起部７２ｒの後面部７２ｘ）８８ｖとによって挟持された状態となっている。このため、封印シールカバー８０を主制御基板ケース７１に装着したままの状態では、たとえ、粘着剤層７８ｂを溶かす溶剤等を用いたとしても、封印シール７８を綺麗に剥がすことは困難である。
【０１３０】
また、図２７（ａ）に示すように、封印シールカバー８０を主制御基板ケース７１から取り外すと、封印シール７８が刃部８２ｈによって破断される。つまり、封印シールカバー８０を主制御基板ケース７１から取り外すと、挿入部８２が挿入用間隙部８８から抜け出る際に、貼付部位（第１の板状部７５ｒの後面部７５ｘ及び隆起部７２ｒの後面部７２ｘ）８８ｖに貼付された封印シール７８を刃部８２ｈが破断するため、封印シール７８に痕跡が残ることになる。
【０１３１】
すなわち、「刃部８２ｈを一体的に備える封印シールカバー８０」を主制御基板ケース７１から取り外すと、封印シール７８が破断され大きな痕跡が残ることになる。特に、本実施例では、封印シールカバー８０を取り外す際に、係合突起８２１ｂ、８２１ｃの係合孔７２ｖ、７２ｖに対する係合を解除するために、封印シールカバー８０を大きな力で引っ張る必要がある。そのため、封印シールカバー８０を引っ張った際の力と刃部の作用とが相俟って、封印シール７８が刃部８２ｈにより破断され、より大きく目立ち易い痕跡が形成されることになる。
【０１３２】
更に、図２７（ｂ）に示すように、不正な工具Ｆ１を用いて、封印シールカバー８０（特に、カバー本体部８１）を破壊し、封印シール７８を綺麗に剥がそうとしても、封印シールカバー８０（特に、カバー本体部８１）が主制御基板ケース７１に封印シール７８を挟んで当接する状態とされているため、工具Ｆ１が主制御基板ケース７１に接触し、封印シール７８や主制御基板ケース７１に痕跡を残す可能性が高い。
【０１３３】
このように、本遊技機１によると、不正行為の痕跡を残し易くした主制御基板装置７０を備えるため、不正行為の発見が容易である。また、基板収納ケース７１を封印シール７８によって封印する作業の効率化を図ることができる。
【実施例２】
【０１３４】
次に、実施例２の遊技機について説明する。この実施例２は、図２８及び図２９に示すように、（Ａ）カバー本体部８１を構成する一方の横枠部８１ｇの裏面部から阻止部（突出部）８１ｓを突出させるとともに、阻止部８１ｓの突端部から保持部８１ｔを突出させた点と、（Ｂ）「阻止部８１ｓ及び保持部８１ｔが収納される凹部７１Ｍ」を主制御基板ケース７１に設けた点とが実施例１と異なる。
【０１３５】
実施例２では、図３０に示すように、横枠部８１ｇの裏面部において、カバー本体部８１の外周縁側に位置する部位から略矩形板状の阻止部（突出部）８１ｓを突出させている。また、阻止部（突出部）８１ｓから略矩形板状の保持部８１ｔを空間部８１ｃの方向に向かって突出させている。つまり、実施例２では、カバー本体部８１の端部において、「阻止部（突出部）８１ｓ及び保持部８１ｔからなる略Ｌ字状の突起部」を突出させている。
【０１３６】
また、保持部８１ｔは、図３０に示すように、横枠部８１ｇの裏面部と対向する保持面８１ｕを備え、この保持面８１ｕと、横枠部８１ｇの裏面部との間には封印シール７８の端部が進入する進入用隙間部８１ｖを設けている。なお、横枠部８１ｇにおいてカバー本体部８１の外周縁側に位置する部位は、横枠部８１ｇと、阻止部８１ｓと、保持部８１ｔとを用いて略コの字断面を備える。
【０１３７】
実施例２においては、図３０に示すように、進入用隙間部８１ｖに向かって封印シール７８の端部を挿通すると、端部が阻止部８１ｓ（突出部）に当接する。これにより、封印シール７８のカバー本体部８１に対する位置決め（封印シール７８の挿通方向に沿って行う位置決め）を正確に行うことができる。
【０１３８】
また、実施例２では、封印シール７８の封印シールカバー８０に対する位置決めを行うと、封印シール７８の端部が進入用隙間部８１ｖに進入する。そして、端部が粘着剤層７８ｂを用いて保持面８１ｕに貼付されるため、封印シール７８を封印シールカバー８０に対して固定した状態で、挿入部８２を挿入用間隙部８８に挿入し、封印シール７８の主制御基板ケース７１に対する貼付を行うことができる。なお、図２９に示すように、挿入部８２を挿入用間隙部８８に挿入する際に、阻止部８１ｓ及び保持部８１ｔは、主制御基板ケース７１の凹部７１Ｍに収納される。
【０１３９】
実施例２によると、実施例１の効果に加えて、以下の効果を得ることができる。つまり、実施例２の遊技機では、封印シール７８を封印シールカバー８０に対する簡便に位置決することができるとともに、封印シールカバー８０に封印シール７８を保持した状態で、封印シールカバー８０を主制御基板ケース７１に装着できる。従って、実施例２によると、封印シール７８を基板収納ケース７１に貼付する作業（基板収納ケース７１を封印シール７８によって封印する作業）を、より一層効率的に行うことができる。
【実施例３】
【０１４０】
次に、実施例３の遊技機について説明する。この実施例３は、実施例２の変形例を構成するものである。つまり、この実施例３では、図３１（ａ）及び（ｂ）に示すように、（Ａ）カバー本体部８１を構成する両縦枠部８１ｄ、８１ｅの裏面部側においても、空間部８１ｃの方向に略矩形板状の保持部８１ｘを突出させている点と、（Ｂ）各保持部８１ｔ、８１ｘの肉厚を薄くした点が実施例２と異なる。
【０１４１】
つまり、図３１（ａ）及び（ｂ）に示すように、各延出部８２ｄ、８２ｅにおいて、他方の延出部８２ｄ、８２ｅ（図３１では、図示を省略）と対向する面から保持部８１ｘを突出させている。また、保持部８１ｘと、縦側当接部８１ｍ、８１ｍとの間には、封印シール７８の長手方向に沿った端縁部を進入可能な進入用隙間部８１ｚが設けられている。また、各保持部８１ｔ、８１ｘの肉厚は、突出部８１ｗや延出部８２ｄ、８２ｅに比べて薄く（１／１０以下の厚み）されている。例えば、各保持部８１ｔ、８１ｘの肉厚は１ｍｍ以下とされている。
【０１４２】
実施例３においても、封印シールカバー８０の挿通用間隙部８２ｊに向かって封印シール７８の端部を挿通すると、端部が阻止部８１ｓ（突出部）に当接する。これにより、封印シール７８のカバー本体部８１に対する位置決め（封印シール７８の挿通方向に沿って行う位置決め）を正確に行うことができる。
【０１４３】
実施例３では、封印シール７８の封印シールカバー８０に対する位置決めを行うと、封印シール７８の端部が進入用隙間部８１ｖに進入するとともに、封印シール７８の両側縁部が対応する進入用隙間部８１ｚに進入する。そして、封印シール７８の端部及び両側縁部が粘着剤層７８ｂを用いて対応する保持部８１ｔ、８１ｘに貼付される。このため、封印シール７８を封印シールカバー８０に対して固定した状態で挿入部８２を挿入用間隙部８８に挿入し、封印シール７８の主制御基板ケース７１に対する貼付を行うことができる。なお、挿入部８２を挿入用間隙部８８に挿入する際に、阻止部８１ｓ及び保持部８１ｔは、主制御基板ケース７１の凹部７１Ｍに収納される。
【０１４４】
実施例３によると、実施例２の効果に加えて、以下の効果を得ることができる。つまり、実施例３の遊技機では、封印シール７８の端部及び両側部を封印シールカバー８０に固定した状態で、封印シールカバー８０を主制御基板ケース７１に装着する作業を行うことができる。従って、実施例３によると、封印シールカバー８０を主制御基板ケース７１に装着する作業をより効率よく行うことができる。
【０１４５】
また、封印シール７８を封印シールカバー８０に対して、より確実に固定しつつも、封印シールカバー８０を主制御基板ケース７１から取り外す際に、封印シール７８が封印シールカバー８０と一体で剥がれることを防止できる。蓋し、各保持部８１ｔ、８１ｘの肉厚を薄くし、その強度を低下させたため、封印シールカバー８０を主制御基板ケース７１から取り外す際に、各保持部８１ｔ、８１ｘが封印シールカバー８０から分離する可能性が高いからである。
【０１４６】
次に、実施例３の変形例（以下、「変形例１」という）について、図３１（ｃ）を用いて説明する。この変形例では、各保持部８１ｔ、８１ｘの根本側に括れ部８１Ｇを設け、封印シールカバー８０を主制御基板ケース７１から取り外す際に、各保持部８１ｔ、８１ｘが括れ部８１Ｇにおいて破断される可能性を高くしている。
【０１４７】
この変形例においても、実施例３と同様な効果を得ることができる。なお、実施例３の他の変形例としては、各保持部８１ｔ、８１ｘの素材を選択して、各保持部８１ｔ、８１ｘの強度を、封印シールカバー８０を構成する他の部位よりも低くする態様を例示することもできる。
【実施例４】
【０１４８】
次に、実施例４の遊技機について説明する。この実施例４も、実施例２の変形例を構成するものである。つまり、この実施例４では、図３２に示すように、カバー本体部８１を「空間部８１ｃを備えない透明な板状体」を用いて構成している。
【０１４９】
実施例４によると、実施例２と同様な効果を得ることができる。なお、実施例４の遊技機では、実施例１若しくは実施例３の変形例として構成することもできる。
【０１５０】
以上、本発明の実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０１５１】
各実施例では、封印シール７８の一部（端部）をカバー本体部８１で覆う態様を例示したが、封印シール７８の全体をカバー本体部８１で覆う変形例を例示することができる。
【０１５２】
また、各実施例では、「単一の板状体で構成される刃部（刃先部）８２ｈ」を備えるカッター部８２ｆを例示したが、図３３に示す変形例２のように、先端部を尖らせた複数の突起８２１ｆを用いてカッター部８２ｆを構成することができる。
【産業上の利用可能性】
【０１５３】
本発明は、遊技機を製造、販売等する分野において利用できる。
【符号の説明】
【０１５４】
１；遊技機（弾球遊技機）、
１０；遊技盤、
７０；主制御基板装置、
７１；主制御基板ケース（基板収納ケース）、
７１Ｋ；収納空間、
７２；ケース本体（第１のケース部材）、
７５；ケース蓋、
７８；封印シール、
７８ａ；シール本体、
７８ｂ；粘着剤層、
８０；封印シールカバー、
８１；カバー本体部、
８１ｂ；カバー本体部の裏面部、
８１ｓ；阻止部、
８１ｔ、８１ｘ；保持部、
８１ｖ、
８１ｕ；保持面、
８２；挿入部、
８２ｊ；挿通用間隙部、
２００；主制御基板（制御基板）。
【図１】
0005418573.tif 000002
【図２】
0005418573.tif 000003
【図３】
0005418573.tif 000004
【図４】
0005418573.tif 000005
【図５】
0005418573.tif 000006
【図６】
0005418573.tif 000007
【図７】
0005418573.tif 000008
【図８】
0005418573.tif 000009
【図９】
0005418573.tif 000010
【図１０】
0005418573.tif 000011
【図１１】
0005418573.tif 000012
【図１２】
0005418573.tif 000013
【図１３】
0005418573.tif 000014
【図１４】
0005418573.tif 000015
【図１５】
0005418573.tif 000016
【図１６】
0005418573.tif 000017
【図１７】
0005418573.tif 000018
【図１８】
0005418573.tif 000019
【図１９】
0005418573.tif 000020
【図２０】
0005418573.tif 000021
【図２１】
0005418573.tif 000022
【図２２】
0005418573.tif 000023
【図２３】
0005418573.tif 000024
【図２４】
0005418573.tif 000025
【図２５】
0005418573.tif 000026
【図２６】
0005418573.tif 000027
【図２７】
0005418573.tif 000028
【図２８】
0005418573.tif 000029
【図２９】
0005418573.tif 000030
【図３０】
0005418573.tif 000031
【図３１】
0005418573.tif 000032
【図３２】
0005418573.tif 000033
【図３３】
0005418573.tif 000034
【図３４】
0005418573.tif 000035